(57)【要約】【課題】投影表示設備及び表示方法を提供する。【解決手段】第１の解像度の入力ビデオ信号を受信して処理して、入力ビデオ信号の内容における表示物件の移動時のモーションブラーを低下させるためのモーションブラー抑制回路と、モーションブラー抑制回路により処理された入力ビデオ信号を受信して、入力ビデオ信号を第２の解像度を有する複数の出力ビデオ信号に転換するための映像処理回路と、第２の解像度を有する出力ビデオ信号を受信して分離させ、異なる色成分の出力ビデオ信号を出力するための色管理回路と、初期解像度として第２の解像度を有するデジタルミニ表示素子を含み、出力ビデオ信号を投影して表示するための画像投影表示装置と、投影レンズの前に位置しており、画像投影表示装置の投射画面を制御タイミングに基づいて表示スクリーンにシフトして投影するための多軸シフト装置と、を含む投影表示設備。【選択図】図１
2020092401.tif 000002
【特許請求の範囲】
【請求項１】
第１の解像度の入力ビデオ信号を受信して処理して、前記入力ビデオ信号の内容における表示物件の移動時のモーションブラーを低下させるためのモーションブラー抑制回路と、
前記モーションブラー抑制回路により処理された前記入力ビデオ信号を受信して、第２の解像度を有する複数の出力ビデオ信号に転換するための映像処理回路と、
前記第２の解像度を有する前記出力ビデオ信号を受信して分離させ、異なる色成分の前記出力ビデオ信号を出力するための色管理回路と、
初期解像度が前記第２の解像度であり、前記出力ビデオ信号を投影して表示するためのデジタルミニ表示素子を含む画像投影表示装置と、
投影レンズの前に位置しており、画像投影表示装置の投影画面を制御タイミングに基づいて投影幕に周期的にシフトさせるための多軸シフト装置と、
を含む投影表示設備。
【請求項２】
前記色管理回路と前記画像投影表示装置との間に結合される複数の諧調型発生器を更に含み、
前記色管理回路は複数のバスバーによって異なる色成分の前記出力ビデオ信号を前記諧調型発生器に伝送する請求項１に記載の投影表示設備。
【請求項３】
前記バスバーはシリアライザ・デシリアライザバスバーである請求項２に記載の投影表示設備。
【請求項４】
前記多軸シフト装置は第１の時間で前記画像投影表示装置を第１の位置へシフトするように連動させ、且つ前記第１の時間で、前記画像投影表示装置は前記出力ビデオ信号における第１の出力ビデオ信号を表示し、
前記多軸シフト装置は第２の時間で前記画像投影表示装置を第２の位置へシフトするように連動させ、且つ前記第２の時間で、前記画像投影表示装置は前記出力ビデオ信号における第２の出力ビデオ信号を表示し、
前記多軸シフト装置は第３の時間で前記画像投影表示装置を第３の位置へシフトするように連動させ、且つ前記第３の時間で、前記画像投影表示装置は前記出力ビデオ信号における第３の出力ビデオ信号を表示し、
前記多軸シフト装置は第４の時間で前記画像投影表示装置を第４の位置へシフトするように連動させ、且つ前記第４の時間で、前記画像投影表示装置は前記出力ビデオ信号における第４の出力ビデオ信号を表示する請求項１又は２に記載の投影表示設備。
【請求項５】
前記第１の位置は非シフト位置に対して左へ四分の一の画素でシフトし及び上へ四分の一の画素でシフトし、
前記第２の位置は非シフト位置に対して右へ四分の一の画素でシフトし及び上へ四分の一の画素でシフトし、
前記第３の位置は非シフト位置に対して右へ四分の一の画素でシフトし及び下へ四分の一の画素でシフトし、
前記第４の位置は非シフト位置に対して左へ四分の一の画素でシフトし及び下へ四分の一の画素でシフトする請求項４に記載の投影表示設備。
【請求項６】
前記画像投影表示装置の表示する前記第１の出力ビデオ信号、前記第２の出力ビデオ信号、前記第３の出力ビデオ信号及び前記第４の出力ビデオ信号の投影位置は互いに部分的に重ね合わせる請求項４又は５に記載の投影表示設備。
【請求項７】
モーションブラー抑制回路によって、第１の解像度の入力ビデオ信号を受信して処理して、前記入力ビデオ信号の内容における表示物件の移動時のモーションブラーを低下させる工程と、
映像処理回路によって、前記モーションブラー抑制回路により処理された前記入力ビデオ信号を受信して、第２の解像度を有する複数の出力ビデオ信号に転換する工程と、
色管理回路によって、前記第２の解像度を有する前記出力ビデオ信号を受信して分離させ、複数のバスバーによって異なる色成分の前記出力ビデオ信号を出力する工程と、
駆動回路における複数の諧調型発生器によって、異なる色成分の前記出力ビデオ信号を画像投影表示装置に伝送する工程と、
前記画像投影表示装置によって、前記出力ビデオ信号を表示する工程と、
多軸シフト装置によって、前記画像投影表示装置をシフトするように連動させる工程と、
を備える表示方法。
【請求項８】
前記バスバーはシリアライザ・デシリアライザバスバーである請求項７に記載の表示方法。
【請求項９】
前記多軸シフト装置によって第１の時間で前記画像投影表示装置を第１の位置へシフトするように連動させ、且つ前記第１の時間で、前記画像投影表示装置は前記出力ビデオ信号における第１の出力ビデオ信号を表示し、
前記多軸シフト装置によって第２の時間で前記画像投影表示装置を第２の位置へシフトするように連動させ、且つ前記第２の時間で、前記画像投影表示装置は前記出力ビデオ信号における第２の出力ビデオ信号を表示し、
前記多軸シフト装置によって第３の時間で前記画像投影表示装置を第３の位置へシフトするように連動させ、且つ前記第３の時間で、前記画像投影表示装置は前記出力ビデオ信号における第３の出力ビデオ信号を表示し、
前記多軸シフト装置によって第４の時間で前記画像投影表示装置を第４の位置へシフトするように連動させ、且つ前記第４の時間で、前記画像投影表示装置は前記出力ビデオ信号における第４の出力ビデオ信号を表示する請求項７又は８に記載の表示方法。
【請求項１０】
前記多軸シフト装置によって、前記画像投影表示装置は左へ四分の一の画素でシフトし及び上へ四分の一の画素でシフトすることと、
前記多軸シフト装置によって、前記画像投影表示装置は右へ四分の一の画素でシフトし及び上へ四分の一の画素でシフトすることと、
前記多軸シフト装置によって、前記画像投影表示装置は右へ四分の一の画素でシフトし及び下へ四分の一の画素でシフトすることと、
前記多軸シフト装置によって、前記画像投影表示装置は左へ四分の一の画素でシフトし及び下へ四分の一の画素でシフトすることと、
を更に備える請求項９に記載の表示方法。
【請求項１１】
前記画像投影表示装置の表示する前記第１の出力ビデオ信号、前記第２の出力ビデオ信号、前記第３の出力ビデオ信号及び前記第４の出力ビデオ信号の投影位置は互いに部分的に重ね合わせる請求項９又は１０に記載の表示方法。
【発明の詳細な説明】
【技術分野】
【０００１】
本開示文書は、投影表示設備及び表示方法に関し、特に、８Ｋ（７６８０×４３２０）の解像度を表示する投影表示設備及び表示方法に関する。
【背景技術】
【０００２】
投影表示設備の産業に関わる技術が日に日に成熟になるにつれて、例えば、ある大型イベントの会場又はスクリーンによる投影表示を要求する場合のような、最高の表示解像度に対する要求がますますよく見られるようになる。
【発明の概要】
【発明が解決しようとする課題】
【０００３】
数多くの映像信号が４Ｋ（３８４０×２１６０）を超えた解像度に発展され、更に８Ｋ（７６８０×４３２０）の表示解像度に発展され、普通の投影表示設備には、８Ｋに対応する投影表示素子はまだない。そのため、信号処理技術も表示技術も進まなければ、８Ｋの表示技術を達成できない。
【課題を解決するための手段】
【０００４】
本開示内容の一実施例において、第１の解像度の入力ビデオ信号を受信して処理して、入力ビデオ信号の内容における表示物件の移動時のモーションブラーを低下させるためのモーションブラー抑制回路と、モーションブラー抑制回路により処理された入力ビデオ信号を受信して、入力ビデオ信号を第２の解像度を有する複数の出力ビデオ信号に転換するための映像処理回路と、第２の解像度を有する出力ビデオ信号を受信して分離させ、異なる色成分の出力ビデオ信号を出力するための色管理回路と、光源及び初期解像度として第２の解像度を有するデジタルミニ表示素子を含み、出力ビデオ信号に対応する投影画面を投影して表示するための画像投影表示装置と、画像投影表示装置とレンズとの間にあるように投影光路に位置しており、表示タイミングに基づいて画像投影表示装置のスクリーンに投射した画面をシフトさせるための多軸シフト装置と、を含む投影表示設備を提供する。
【０００５】
本開示内容の一実施例において、モーションブラー抑制回路によって、第１の解像度の入力ビデオ信号を受信して処理して、入力ビデオ信号の内容における表示物件の移動時のモーションブラーを低下させる工程と、映像処理回路によって、モーションブラー抑制回路により処理された入力ビデオ信号を受信して、第２の解像度を有する出力ビデオ信号に転換する工程と、色管理回路によって、第２の解像度を有する出力ビデオ信号を受信して分離させ、異なる色成分の出力ビデオ信号を出力する工程と、駆動回路によって、異なる色成分の出力ビデオ信号を画像投影表示装置に伝送する工程と、画像投影表示装置によって、出力ビデオ信号を表示する工程と、多軸シフト装置によって、表示タイミングに基づいて画像投影表示装置のスクリーンに投射した画面をシフトさせる工程と、を備える制御方法を提供する。
【発明の効果】
【０００６】
以上をまとめると、上記異なる素子の間の協力によって、スクリーンに入力ビデオ信号に対応する解像度が画像投影表示装置の解像度よりも高い出力映像を投影して表示することができる。
【図面の簡単な説明】
【０００７】
【図１】本開示文書の一実施例による投影表示設備を示す機能ブロック図である。
【図２】本開示文書の一実施例による投影表示設備の一部の機能を示すブロック図である。
【図３】本開示文書の一実施例による映像転換方法を示す模式図である。
【図４】本開示文書の一実施例による投影表示設備の異なる時間点での投影映像のタイミングによるシフトを示す模式図である。
【図５】本開示文書の一実施例による表示方法を示す流れ図である。
【図６】本開示文書の一実施例による表示方法における異なる時間点での投影映像のタイミングによるシフトを示す流れ図である。
【発明を実施するための形態】
【０００８】
本文に使用される「含む」、「有する」等の用語は、何れも開放的な用語であり、つまり「〜を含むが、それに限定されない」という意味である。また、本文に使用される「及び／又は」は、関連列挙項目における１つ又は複数の項目の何れの１つ及びその全ての組み合わせを含む。
【０００９】
本文において、ある素子が「連結」又は「結合」されると呼ばれる場合、「電気的接続」又は「電気的に結合」を指してもよい。「連結」又は「結合」は、２つ又は多くの素子が互いに組み合わせて操作し又は対話することを表すことに用いられることもできる。また、本文に用いられる「第１の」、「第２の」等の用語は異なる素子を説明し、この用語は同じ技術用語で説明される素子又は操作を区別することに用いられる。上下文で明確に指摘されない限り、この用語は次序又は順位を特に指摘又は示唆することもないし、本開示文書を限定するためのものでもない。
【００１０】
図１を参照されたい。図１は、本開示文書の一実施例による投影表示設備１００を示す機能ブロック図である。投影表示設備１００は、処理回路１１０、駆動回路１２０、画像投影表示装置１３０、多軸シフト装置１４０及びレンズ１５０を含む。処理回路１１０は、モーションブラー抑制回路１１２、映像処理回路１１４、色管理回路１１６及び制御回路１１８を含む。画像投影表示装置１３０は、光源１３２及びデジタルミニ表示素子１３４を含む。処理回路１１０は、駆動回路１２０、画像投影表示装置１３０及び多軸シフト装置１４０に電気的に結合される。
【００１１】
一実施例において、処理回路１１０は、中央プロセッサ、画像プロセッサ、フィールド・プログラマブル・ゲート・アレイ（Ｆｉｅｌｄ  Ｐｒｏｇｒａｍｍａｂｌｅ  Ｇａｔｅ  Ａｒｒａｙ；ＦＰＧＡ）又はビデオフレームデータ処理機能を持つ他の回路であってよい。
【００１２】
注意すべきなのは、上記投影表示設備１００における装置や素子の達成形態は、上記実施例により開示されたものに限定されず、且つ接続関係も上記実施例に限定されない。投影表示設備１００に下記技術内容を十分に達成させる接続形態や達成形態であれば、何れも本願に運用されることができる。
【００１３】
一実施例において、投影表示設備１００における画像投影表示装置１３０は、３８４０×２１６０の初期解像度（４Ｋの解像度とも呼ばれる）を有する。ある適用状況において、入力ビデオ信号ＶＩ１が画像投影表示装置１３０の初期解像度よりも高い可能性がある。例えば、入力ビデオ信号ＶＩ１は、７６８０×４３２０の解像度（８Ｋの解像度とも呼ばれる）であってよい。一般的に、入力された映像の解像度が画像投影表示装置の初期解像度より高い場合、投影表示設備は、初期解像度の効果のみを示す。本開示文書の一実施例において、投影表示設備１００は、入力ビデオ信号ＶＩ１の解像度に基づいて多軸シフト装置１４０を起動させることができる。詳しい過程については、後で説明する。
【００１４】
図２を参照されたい。図２は、本開示文書による投影表示設備の一部の機能を示すブロック図である。一実施例において、処理回路１１０が入力ビデオ信号ＶＩ１を受信した後で、モーションブラー抑制回路１１２は、入力ビデオ信号ＶＩ１に対して動き検出及び動き補正（Ｍｏｔｉｏｎ  Ｅｓｔｉｍａｔｉｏｎ  Ａｎｄ  Ｍｏｔｉｏｎ  Ｃｏｍｐｅｎｓａｔｉｏｎ,  ＭＥＭＣ）の映像処理技術によって、映像内容のモーションブラーを改善し、動き画質のシャープネスを改善することができる。入力ビデオ信号ＶＩ２は、モーションブラー抑制回路１１２により処理されたビデオ信号である。
【００１５】
例えば、入力ビデオ信号ＶＩ２が画像投影表示装置１３０の初期解像度より高い場合、映像処理回路１１４は、第１の解像度を有する入力ビデオ信号ＶＩ２を、各々が第２の解像度を有する複数の出力ビデオ信号に転換する。例えば、入力ビデオ信号ＶＩ２の第１の解像度は８Ｋであってよい。この例において、入力ビデオ信号ＶＩ２が４つの出力ビデオ信号に転換される。出力ビデオ信号の各々の第２の解像度は４Ｋであってよい。この実施例において、映像処理回路１１４は、８Ｋの解像度の入力ビデオ信号ＶＩ２を、各々が４Ｋの解像度を有する４つの出力ビデオ信号に転換する。
【００１６】
図２及び図３を同時に参照されたい。図３は、本開示文書による映像転換方法を示す模式図である。図３に示すように、一実施例において、映像処理回路１１４は、８Ｋの解像度を有する入力ビデオ信号ＶＩ２を４つの出力ビデオ信号ＶＯ１ａ、ＶＯ１ｂ、ＶＯ１ｃ及びＶＯ１ｄに転換する。出力ビデオ信号ＶＯ１ａ、ＶＯ１ｂ、ＶＯ１ｃ及びＶＯ１ｄの各々は、８Ｋの解像度の入力ビデオ信号ＶＩ２の画素から１/４の画素を抽出して、１組の４Ｋの解像度の第２の入力ビデオ信号を形成する。
【００１７】
転換方法は、図３に示すように、４×４画素ドットを例として、入力ビデオ信号ＶＩ２の１６個の画素ドットを左上、右上、左下及び右下の４つの画素領域に均等に分成する。各領域の４つの画素ドットを更に左上、右上、左下及び右下の４つの画素ブロックに分けて、４つの画素領域における同じ画素ブロックの画素ドットを、新しい第２の入力ビデオ信号に合成する。この実施例において、説明しやすくするために、同じ画素ブロックの画素ドットに同一の番号をつける。第２の入力ビデオ信号ＶＯ１ａの４つの画素ドットは、元々入力ビデオ信号ＶＩ２の４つの領域における左上の画素ブロック（番号１）からなる。出力ビデオ信号ＶＯ１ｂは右上の画素ブロック（番号２）からなる。出力ビデオ信号ＶＯ１ｃは右下の画素ブロック（番号３）からなる。出力ビデオ信号ＶＯ１ｄは、左下の画素ブロック（番号４）からなる。
【００１８】
図１において、映像処理回路１１４が入力ビデオ信号ＶＩ２を処理して４つの出力ビデオ信号ＶＯ１ａ、ＶＯ１ｂ、ＶＯ１ｃ及びＶＯ１ｄに転換した後で、色管理回路１１６に出力する。図２を参照されたい。図２において、色管理回路１１６は、４つの出力ビデオ信号ＶＯ１ａ、ＶＯ１ｂ、ＶＯ１ｃ及びＶＯ１ｄを受信した後で色によって分離させることに用いられる。
【００１９】
一実施例において、色管理回路１１６はＲＧＢ色分解によって例示する。８ビットのカラー映像は、３つの０〜２５５諧調の赤、緑、青（Ｒ、Ｇ、Ｂ）映像が組み合わせてなり、０に近くなるほど色が暗くなり（黒色に近い）、２５５に近くなるほど色が明るい（白色に近い）ので、映像における赤、緑、青成分に対して別々に処理する必要がある。色管理回路１１６は、出力ビデオ信号ＶＯ１ａの赤色成分を赤色成分の出力ビデオ信号ＶＯ１ａＲに、緑色成分を緑色成分の出力ビデオ信号ＶＯ１ａＧに、青色成分を青色成分の出力ビデオ信号ＶＯ１ａＢに分離させる。このように類推すれば、出力ビデオ信号ＶＯ１ｂ、ＶＯ１ｃ及びＶＯ１ｄの分離された赤色成分の出力ビデオ信号は赤色成分の出力ビデオ信号ＶＯ１ｂＲ、ＶＯ１ｃＲ及びＶＯ１ｄＲであり、出力ビデオ信号ＶＯ１ｂ、ＶＯ１ｃ及びＶＯ１ｄの分離された緑色成分の出力ビデオ信号は緑色成分の出力ビデオ信号ＶＯ１ｂＧ、ＶＯ１ｃＧ及びＶＯ１ｄＧであり、出力ビデオ信号ＶＯ１ｂ、ＶＯ１ｃ及びＶＯ１ｄの分離されたものは青色成分の出力ビデオ信号ＶＯ１ｂＢ、ＶＯ１ｃＢ及びＶＯ１ｄＢである。
【００２０】
上記実施例において、色管理回路１１６はＲＧＢ色分解を採用したが、本開示文書はこれに限定されない。他の実施例において、色管理回路１１６は、例えば、赤緑青白（ＲＧＢＷ）の４色の色分解、輝度や色度（ＹＣｂＣｒ）による色分解又は相等性を有する他の色分解形態のような、異なる色分解処理方法を採用してもよい。当業者であれば、上記色分解方法を如何に取って代わるかを理解することができ、異なる色分解形態の何れも本開示文書の範囲内にある。
【００２１】
制御回路１１８は、駆動回路１２０及び多軸シフト装置１４０の動作時間を制御するように、第１のタイミング信号ＴＳ１及び第２のタイミング信号ＴＳ２を出力することに用いられる。
【００２２】
解像度が高いほど、ビデオ信号のデータ量は膨大になる。一実施例において、シリアライザ・デシリアライザバスバー（Ｓｅｒｉａｌｉｚｅｒ  /Ｄｅｓｅｒｉａｌｉｚｅｒ,  ＳｅｒＤｅｓ）によって色管理回路１１６により処理された出力ビデオ信号データを伝送する。シリアライザ・デシリアライザバスバーは、大ビット幅の単端バスバーを１つ又は複数の差分信号に圧縮可能な装置であり、平行信号を高速序列信号に転換させ、大量なデータの伝送を達成させることができる。
【００２３】
図２において、駆動回路１２０は、諧調型発生器１２２、諧調型発生器１２４及び諧調型発生器１２６を含む。色管理回路１１６は、色の分離された映像信号を諧調型発生器１２２、諧調型発生器１２４及び諧調型発生器１２６に出力する。１つのタイミング信号ＴＳ１の周期で、色管理回路１１６は、同時に赤色成分の出力ビデオ信号ＶＯ１ａＲ及びＶＯ１ｂＲを諧調型発生器１２２に出力し、緑色成分の出力ビデオ信号ＶＯ１ａＧ及びＶＯ１ｂＧを諧調型発生器１２４に出力し、青色成分の出力ビデオ信号ＶＯ１ａＢ及びＶＯ１ｂＢを諧調型発生器１２６に出力する。次のタイミング信号ＴＳ１周期の場合、色管理回路１１６は、同時に赤色成分の出力ビデオ信号ＶＯ１ｃＲ及びＶＯ１ｄＲを諧調型発生器１２２に出力し、緑色成分の出力ビデオ信号ＶＯ１ｃＧ及びＶＯ１ｄＧを諧調型発生器１２４に出力し、青色成分の出力ビデオ信号ＶＯ１ｃＢ及びＶＯ１ｄＢを諧調型発生器１２６に出力する。
【００２４】
つまり、諧調型発生器１２２は、赤色成分の出力ビデオ信号ＶＯ１ａＲ、ＶＯ１ｂＲ、ＶＯ１ｃＲ、ＶＯ１ｄＲを処理して、画像投影表示装置１３０に必要な映像型且つ赤色成分の出力ビデオ信号ＶＯ２ａＲ、ＶＯ２ｂＲ、ＶＯ２ｃＲ、ＶＯ２ｄＲを発生させる。諧調型発生器１２４は、緑色成分の出力ビデオ信号ＶＯ１ａＧ、ＶＯ１ｂＧ、ＶＯ１ｃＧ、ＶＯ１ｄＧを処理して、画像投影表示装置１３０に必要な映像型且つ緑色成分の出力ビデオ信号ＶＯ２ａＧ、ＶＯ２ｂＧ、ＶＯ２ｃＧ、ＶＯ２ｄＧを発生させる。諧調型発生器１２６は、青色成分の出力ビデオ信号ＶＯ１ａＢ、ＶＯ１ｂＢ、ＶＯ１ｃＢ、ＶＯ１ｄＢを処理して、画像投影表示装置１３０に必要な映像型且つ青色成分の出力ビデオ信号ＶＯ２ａＢ、ＶＯ２ｂＢ、ＶＯ２ｃＢ、ＶＯ２ｄＢを発生させる。
【００２５】
また、諧調型発生器１２２、１２４及び１２６は、制御回路１１８により発信されるタイミング信号ＴＳ１を画像投影表示装置１３０に伝送する。図５の工程Ｓ２４０及び工程Ｓ２５０において、画像投影表示装置１３０は、上記赤色成分の出力ビデオ信号ＶＯ２ａＲ-ＶＯ２ｄＲ、緑色成分の出力ビデオ信号ＶＯ２ａＧ-ＶＯ２ｄＧ、青色成分の出力ビデオ信号ＶＯ２ａＢ-ＶＯ２ｄＢを受信して、多軸シフト装置１４０と連動する。
【００２６】
一実施例において、画像投影表示装置１３０におけるデジタルミニ表示素子１３４は、複数のミニレンズからなるマトリックス及び上記ミニレンズを調整するためのマイクロ・スイッチを含んでよい。デジタルミニ表示素子１３４は、光源１３２の発射した光ＬＳによって表示画面を投射する。
【００２７】
一実施例において、多軸シフト装置１４０は、２組の音声コイル（Ｖｏｉｃｅ  ｃｏｉｌ）及び１つのレンズを含んでよい。その一方の音声コイルは、レンズを転動するように連動させて、デジタルミニ表示素子１３４の投影した画面が第１の軸方向に沿ってシフトするようにし、例えば、投影画像をスクリーンにおいて垂直軸方向に沿って上下に移動させる。他方の音声コイルは、レンズを転動するように連動させて、デジタルミニ表示素子１３４の投影した画面が第２の軸方向に沿ってシフトするようにし、例えば、投影画像をスクリーンにおいて水平軸方向に沿って左右に移動させる。しかし、本開示文書はこれに限定されない。２つの音声コイルとレンズの作動は、投影画像のスクリーンでの垂直と水平軸方向に沿った移動に限定されず、例えば、+４５度と-４５度に沿って移動するように、２つの異なる軸方向に沿って移動してもよい。また１つの実施例において、多軸シフト装置１４０は、１組の音声コイルを含んでもよい。この１組の音声コイルは、レンズを転動するように連動させて、デジタルミニ表示素子１３４の投影した画面を単一軸方向に沿って移動させる。別の実施例において、多軸シフト装置１４０は、それぞれレンズを転動するように連動させて、デジタルミニ表示素子１３４の投影した画面を異なる軸方向に沿って移動させるより多くの組の音声コイルを含んでもよい。
【００２８】
図４及び図６を同時に参照されたい。図４は、本開示文書による投影表示設備の異なる時間点での投影映像のタイミングによるシフトを示す模式図である。図６は、本開示文書の一実施例による表示方法における異なる時間点での投影映像のタイミングによるシフトを示す流れ図である。制御回路１１８は、同期である２組の第１のタイミング信号ＴＳ１及び第２のタイミング信号ＴＳ２をそれぞれ駆動回路１２０及び多軸シフト装置１４０に発信する。駆動回路１２０は、また、第１のタイミング信号ＴＳ１を表示結像装置１３０におけるデジタルミニ表示素子１３４に発信する。このように、多軸シフト装置１４０とデジタルミニ表示素子１３４は、同期である第１のタイミング信号ＴＳ１及び第２のタイミング信号ＴＳ２に基づいて画面の切り替えを同時に行うことができる。映像位置Ｆ０は、多軸シフト装置１４０が作動していない（つまり、投影画面をシフトさせない）うちに、デジタルミニ表示素子１３４がレンズ１５０によって投射した原始映像位置を表す。
【００２９】
図４に示すように、赤色成分の出力ビデオ信号ＶＯ２ａＲ、緑色成分の出力ビデオ信号ＶＯ２ａＧ及び青色成分の出力ビデオ信号ＶＯ２ａＢは、第１の時間での出力ビデオ信号ＶＯ２ａをつくる。赤色成分の出力ビデオ信号ＶＯ２ｂＲ、緑色成分の出力ビデオ信号ＶＯ２ｂＧ及び青色成分の出力ビデオ信号ＶＯ２ｂＢは、第２の時間での出力ビデオ信号ＶＯ２ｂをつくる。赤色成分の出力ビデオ信号ＶＯ２ｃＲ、緑色成分の出力ビデオ信号ＶＯ２ｃＧ及び青色成分の出力ビデオ信号ＶＯ２ｃＢは、第３の時間での出力ビデオ信号ＶＯ２ｃをつくる。赤色成分の出力ビデオ信号ＶＯ２ｄＲ、緑色成分の出力ビデオ信号ＶＯ２ｄＧ及び青色成分の出力ビデオ信号ＶＯ２ｄＢは、第４の時間での出力ビデオ信号ＶＯ２ｄをつくる。
【００３０】
図６に示す工程Ｓ２５１において、第１の時間で、制御回路１１８は、多軸シフト装置１４０が左上の１の位置に双軸でシフトするように制御する。この実施例において、制御回路１１８は、第２のタイミング信号ＴＳ２を多軸シフト装置１４０に発信して、多軸シフト装置１４０を上記シフトを行うように駆動させる。例えば、図４の実施例において、多軸シフト装置１４０は、双軸方向の２つのモータを含む。その一方のモータ連動デジタルミニ表示素子１３４が左方へ四分の一（１／４つ）の画素幅でシフトし、他方のモータが同時にデジタルミニ表示素子１３４を上方へ四分の一の画素幅でシフトするように連動させる。この場合、図４に示すように、デジタルミニ表示素子１３４に赤色成分の出力ビデオ信号ＶＯ２ａＲ、緑色成分の出力ビデオ信号ＶＯ２ａＧ及び青色成分の出力ビデオ信号ＶＯ２ａＢからなる出力ビデオ信号ＶＯ２ａが結像され、光源１３２の投射する光ＬＳがデジタルミニ表示素子１３４によって第１の時間で出力ビデオ信号ＶＯ２ａを投影する。この実施例において、多軸シフト装置１４０の連動操作とデジタルミニ表示素子１３４の結像操作とが同じ時間で行われることを確保するように、第１のタイミング信号ＴＳ１と第２のタイミング信号ＴＳ２のとは互いに同期的である。
【００３１】
第２の時間で、工程Ｓ２５２において、制御回路１１８は、第２のタイミング信号ＴＳ２を多軸シフト装置１４０に発信することで、多軸シフト装置１４０が右上の１の位置に双軸でシフトするように制御する。この実施例において、右上の１の位置は、非シフト位置に対して右へ四分の一の画素幅でシフトし及び上へ四分の一の画素幅でシフトしてよい。図４に示すように、同一の時間で、デジタルミニ表示素子１３４が出力ビデオ信号ＶＯ２ｂを結像し、光源１３２の投射する光ＬＳがデジタルミニ表示素子１３４によって第２の時間で出力ビデオ信号ＶＯ２ｂを投影する。
【００３２】
第３の時間で、工程Ｓ２５３において、制御回路１１８は、第２のタイミング信号ＴＳ２を多軸シフト装置１４０に発信することで、多軸シフト装置１４０が右下の１の位置に双軸でシフトするように制御する。この実施例において、右下の１の位置は、非シフト位置に対して右へ四分の一の画素幅でシフトし及び下へ四分の一の画素幅でシフトしてよい。図４に示すように、同一の時間で、デジタルミニ表示素子１３４が出力ビデオ信号ＶＯ２ｃを結像させ、光源１３２の投射する光ＬＳがデジタルミニ表示素子１３４によって出力ビデオ信号ＶＯ２ｃを投影する。
【００３３】
第４の時間で、工程Ｓ２５４において、制御回路１１８は、第２のタイミング信号ＴＳ２を多軸シフト装置１４０に発信することで、多軸シフト装置１４０が左下の１の位置に双軸でシフトするように制御する。この実施例において、左下の１の位置は、非シフト位置に対して左へ四分の一の画素幅でシフトし及び下へ四分の一の画素幅でシフトしてよい。図４に示すように、同一の時間で、デジタルミニ表示素子１３４が出力ビデオ信号ＶＯ２ｄを結像させ、光源１３２の投射する光ＬＳがデジタルミニ表示素子１３４によって出力ビデオ信号ＶＯ２ｄを投影する。
【００３４】
上記第１の時間〜第４の時間は、循環して行われる操作であり、出力ビデオ信号ＶＯ２ｄを投影した後で、制御回路１１８は、多軸シフト装置１４０が左上の１の位置に双軸でシフトするように制御し、再び第１の時間の操作を行う。
【００３５】
出力ビデオ信号ＶＯ２ａ、出力ビデオ信号ＶＯ２ｂ、出力ビデオ信号ＶＯ２ｃと出力ビデオ信号ＶＯ２ｄは、図４の下方に示すように、互いに部分的に重ね合わせる。また、第１の時間〜第４の時間の１回の循環において、４つの出力ビデオ信号ＶＯ２ａ-ＶＯ２ｄの４つの４Ｋの解像度の画面が重ね合わせた後で、８Ｋの解像度を表示する全体画面に等しく、元の入力８Ｋの解像度の入力映像をサポートすることに用いられる。
【００３６】
図５を参照されたい。図５は、本開示文書による投影表示設備の表示方法を示す流れ図である。工程Ｓ２１０、工程Ｓ２２０、工程Ｓ２３０、工程Ｓ２４０及び工程Ｓ２５０を備える。工程Ｓ２１０において、処理回路１１０におけるモーションブラー抑制回路１１２は第１の解像度を有する入力ビデオ信号ＶＩ１を受信し、入力ビデオ信号ＶＩ１の内容における表示物件の移動時のモーションブラーを処理して、低下させ、処理された入力ビデオ信号ＶＩ２を出力する。工程Ｓ２２０において、映像処理回路１１４によって、モーションブラー抑制回路１１２により処理された入力ビデオ信号ＶＩ２を受信して、入力ビデオ信号ＶＩ２を第２の解像度を有する出力ビデオ信号ＶＯ１ａ〜ＶＯ１ｄに転換する。工程Ｓ２３０において、色管理回路１１６は出力ビデオ信号ＶＯ１ａ〜ＶＯ１ｄを受信し、出力ビデオ信号ＶＯ１ａ〜ＶＯ１ｄの色を分離させて出力する。工程Ｓ２４０において、駆動回路１２０は異なる色成分の出力ビデオ信号（ＶＯ１ａＲ〜ＶＯｄＲ、ＶＯ１ａＧ〜ＶＯｄＧ、ＶＯ１ａＢ〜ＶＯｄＢ）を受信して画像投影表示装置１３０に伝送する。工程Ｓ２５０において、多軸シフト装置１４０によって、画像投影表示装置１３０の投影した画面をシフトさせるようにレンズを連動させる。詳しい操作形態については、上記図６の説明の通りであるので、ここで詳しく説明しない。
【００３７】
上記一実施例の操作によると、投影表示設備は、デジタルミニ表示素子とシフト装置との間の協力によって画像投影表示装置の初期解像度よりも高い解像度の映像の出力を達成させた。
【符号の説明】
【００３８】
１００：投影表示設備
１１０：処理回路
１１２：モーションブラー抑制回路
１１４：映像処理回路
１１６：色管理回路
１１８：制御回路
１２０：駆動回路
１２２、１２４、１２６：諧調型発生器
１３０：画像投影表示装置
１３２：光源
１３４：デジタルミニ表示素子
１４０：多軸シフト装置
１５０：レンズ
２００：表示方法
ＶＩ１、ＶＩ２：入力ビデオ信号
ＶＯ１ａ、ＶＯ１ｂ、ＶＯ１ｃ、ＶＯ１ｄ、ＶＯ２ａ、ＶＯ２ｂ、ＶＯ２ｃ、ＶＯ２ｄ：出力ビデオ信号
ＶＯ１ａＲ、ＶＯ１ｂＲ、ＶＯ１ｃＲ、ＶＯ１ｄＲ、ＶＯ２ａＲ、ＶＯ２ｂＲ、ＶＯ２ｃＲ、ＶＯ２ｄＲ：赤色成分の出力ビデオ信号
ＶＯ１ａＧ、ＶＯ１ｂＧ、ＶＯ１ｃＧ、ＶＯ１ｄＧ、ＶＯ２ａＧ、ＶＯ２ｂＧ、ＶＯ２ｃＧ、ＶＯ２ｄＧ：緑色成分の出力ビデオ信号
ＶＯ１ａＢ、ＶＯ１ｂＢ、ＶＯ１ｃＢ、ＶＯ１ｄＢ、ＶＯ２ａＢ、ＶＯ２ｂＢ、ＶＯ２ｃＢ、ＶＯ２ｄＢ：青色成分の出力ビデオ信号
ＬＳ：光
ＴＳ１：第１のタイミング信号
ＴＳ２：第２のタイミング信号
Ｆ０：映像位置
Ｓ２１０、Ｓ２２０、Ｓ２３０、Ｓ２４０、Ｓ２５０、Ｓ２５０ａ、Ｓ２５１、Ｓ２５２、Ｓ２５３、Ｓ２５４：工程
【図１】
2020092401.tif 000003
【図２】
2020092401.tif 000004
【図３】
2020092401.tif 000005
【図４】
2020092401.tif 000006
【図５】
2020092401.tif 000007
【図６】
2020092401.tif 000008